(57)【要約】      （修正有）【課題】  ユーザーの好みを反映したデータベースを作成し、そのデータベースを参照して自動補正を行う方法を提供する。【解決手段】画像信号を入力して該入力した画像を一つ以上の方法で自動的に補正する画像処理方法であって、該補正方法毎にパラメータを調整する工程と、該補正方法による補正効果を複数の強度で段階的に変化させたサンプル画像の中からユーザーが好みの画像を選択する工程と、前記選択する工程で選択した画像に対応する補正強度をデータベースに記録しておく工程を有し、前記入力された画像信号を自動的に補正する際に前記データベースに記録した補正強度に対応するパラメータを使って補正を行う。【選択図】  図３
2006013889.tif 000002
【特許請求の範囲】
【請求項１】
画像信号を入力して該入力した画像を一つ以上の方法で自動的に補正する画像処理方法であって、
該補正方法毎にパラメータを調整する工程と、
該補正方法による補正効果を複数の強度で段階的に変化させたサンプル画像の中からユーザーが好みの画像を選択する工程と、
前記選択する工程で選択した画像に対応する補正強度をデータベースに記録しておく工程を有し、
前記入力された画像信号を自動的に補正する際に、前記データベースに記録した補正強度に対応するパラメータを使って補正を行うことを特徴とする画像処理方法。
【請求項２】
前記データベースへの記録はユーザー毎に可能であることを特徴とする請求項１記載の画像処理方法。
【請求項３】
前記補正方法として、コントラストを調整する機能を持つ事を特徴とする請求項１項記載の画像処理方法。
【請求項４】
前記補正方法として、明度を調整する機能を持つ事を特徴とする請求項１項記載の画像処理方法。
【請求項５】
前記補正方法として、彩度を調整する機能を持つ事を特徴とする請求項１項記載の画像処理方法。
【請求項６】
前記補正方法として、先鋭度を調整する機能を持つ事を特徴とする請求項１項記載の画像処理方法。
【請求項７】
前記自動的に補正を行った後に補正強度をユーザーが任意に調整して再度補正をやり直す工程と、該調整した補正強度を前記データベースに記録した補正強度に反映させる工程を有することを特徴とする請求項１記載の画像処理方法。
【請求項８】
前記記憶しておく工程はシステム導入時等の基本設定を行うタイミングで行なわれることを特徴とする請求項１項記載の画像処理方法。
【請求項９】
画像信号を入力して該入力した画像を一つ以上の方法で自動的に補正する画像処理装置であって、
該補正方法毎にパラメータを調整する手段と、
該補正方法による補正効果を複数の強度で段階的に変化させたサンプル画像の中からユーザーが好みの画像を選択する手段と、
前記選択する手段で選択した画像に対応する補正強度をデータベースに記録しておく手段を有し、
前記入力された画像信号を自動的に補正する際に、前記データベースに記録した補正強度に対応するパラメータを使って補正を行うことを特徴とする画像処理装置。
【発明の詳細な説明】
【技術分野】
【０００１】
本発明は画像処理方法、装置に係わり、特に原画像に対して自動的に補正を行う画像処理装置、方法に関する。
【背景技術】
【０００２】
従来の入力画像を自動的に補正する画像処理系では、補正のパラメータは汎用的に決められた１種類のみを用いるか、補正前に手動で補正強度の調整を行うようになっている。
【０００３】
従って、ユーザーは自動補正を施した結果が自分の好みに合わない場合には、自動補正を行った後に別の補正手段で好みの画像に仕上げる、もしくは自分で試行錯誤を繰り返すことによって補正強度の最適値を見つけ出すことで、自分の好みに合わせていた。
【特許文献１】特許第００２７８９２０７号
【特許文献２】特開平１１−３１７８７４号
【発明の開示】
【発明が解決しようとする課題】
【０００４】
しかしながら、汎用的なパラメータではユーザーによる好みの違いに対して最適な補正効果を得ることができず、好みに最適な補正効果を得るためには、別途ある程度専門知識を必要とする補正を手動で繰り返すといった試行錯誤を毎回行わなければならないという問題があった。
【課題を解決するための手段】
【０００５】
そのために本発明では、画像信号を入力して該入力した画像を一つ以上の方法で自動的に補正する画像処理方法であって、
該補正方法毎にパラメータを調整する工程と、
該補正方法による補正効果を複数の強度で段階的に変化させたサンプル画像の中からユーザーが好みの画像を選択する工程と、
前記選択する工程で選択した画像に対応する補正強度をデータベースに記録しておく工程を有し、
前記入力された画像信号を自動的に補正する際に、前記データベースに記録した補正強度に対応するパラメータを使って補正を行うことを特徴とする。
【発明の効果】
【０００６】
以上の構成によれば、ユーザーの好みを反映したデータベースを作成し、そのデータベースを参照して自動補正を行うことで、好適な自動補正結果をユーザーが特に意識することなく適用することができる。
【０００７】
また、自動補正後にその結果に対して調整を加える事ができるようにしておき、その調整結果をデータベースにフィードバックすれば、ユーザーの好みに対する精度をさらに向上させることができるようになる。
【０００８】
さらに、このデータベースをユーザー毎に保持すれば、個々のユーザーにとって最適な補正結果を簡便に得ることができるようになる。
【発明を実施するための最良の形態】
【０００９】
以下、図面を参照して本発明の実施形態を詳細に説明する。
【実施例１】
【００１０】
図１は、本発明の一実施形態に係る画像処理装置の概略構成を示すブロック図である。
【００１１】
本実施形態の画像処理装置は、基本的に画像信号を入力する画像入力部１０１、補正処理を行う補正処理部１０２および、プリンター等に画像を出力する画像出力部１０３で構成されるものであり、入力された画像の明るさ・コントラスト・彩度・シャープネスを自動的に補正して出力するシステムである。また、補正処理を行う補正処理部１０２には自動補正後の画像に対して補正値の調整を行う手段を有している。
【００１２】
ＣＰＵ１０５は、記憶装置１０７に格納された、図３にて後述される処理等のプログラムに従い上記制御のための処理を実行し、作業メモリ１０６はその処理の際のワークエリアとして用いられる。ユーザーインターフェースとなる操作部（以下、単に「ＵＩ」ともいう）１０４は、上記処理の実行に関してユーザーによる入力やユーザーに対する表示などに関する処理を行い、キーボード等の入力機器や表示器を含むものである。
【００１３】
図２（ａ）および（ｂ）は、ユーザーの好みをデータベースに登録する際に用いるダイアログを模式的に示す図である。このダイアログはシステムの導入時もしくはユーザーがＵＩ１０４を介して自動補正の設定を呼び出したときに表示される。図２（ａ）は画像の明るさに対するテストになっており、図２（ｂ）はコントラストに対するテストになっている。この他にも彩度とシャープネスに対するテストも用意されており、その選択結果と補正強度の例を図２（ｃ）に示す。この例では各補正項目において３を選択した場合は自動補正の初期パラメータが適用される事を表しており、その他の番号を選択した場合はそれぞれ初期パラメータに対する強度調整値を記憶装置１０７のデータベースに格納する。このデータベースへの格納時に、キーボード等によりユーザは記憶しやすい名前を付けることでユーザごとにデータベースを作成することが可能となる。
【００１４】
以上説明した構成に基づく本実施形態の画像処理装置の処理について説明する。図３は、本実施形態に係る画像処理装置の自動補正処理を示すフローチャートである。本実施形態の自動補正処理は、例えば、ユーザーがＵＩ１０４を介して自動補正処理の選択、実行を指示することによって起動される。
【００１５】
図３において、先ずステップＳ２０１で、前述のように記憶装置１０７に格納されているデータベースからユーザーの好みを反映した補正強度を読み込む。次に、ステップＳ２０２では、ステップＳ２０１で読み込まれた補正強度から各補正処理のパラメータを算出し、記憶装置１０７に記録する。
【００１６】
そして、ステップＳ２０３において、画像入力部１０１から入力した画像信号にステップＳ２０２で算出した補正パラメータを使用して各補正処理を行い、ＵＩ１０４を介してユーザーが指定した場合には補正結果調整ダイアログを表示する。
【００１７】
図４はこの補正結果調整ダイアログを模式的に示す図である。同図に示すように、補正結果に対して調整を行うためのインターフェースが具えられており、調整した結果を表示することができる。また、調整した結果をデータベースに反映するか否かを設定するインターフェースも具えており、ここが設定されている場合は、調整結果がデータベースに反映される。
【００１８】
ステップＳ２０７では、ステップＳ２０５で行った補正処理の調整値を反映した結果を記憶装置１０７のデータベースに格納して本処理を終了する。
【００１９】
以上説明したように本実施形態によれば、ユーザーの好みを格納したデータベースを参照して自動補正を行う。これにより、ユーザーの好みにあった補正処理を特に意識せずに行うことができる。さらに、補正後の画像に対して調整を行うことで、さらにその精度を上げることができる。
【００２０】
更には、システム導入時等の基本設定を行うタイミングで、専門知識を必要としない質問形式の設定作業を行うことにより、ユーザーの好みを反映した画像補正用のデータベースを作成し、そのデータベースを参照して自動補正を行うことで、好適な自動補正結果をユーザーが特に意識することなく適用することができる。
【００２１】
また、自動補正後にその結果に対して調整を加える事ができるようにしておき、その調整結果をデータベースにフィードバックすれば、よりユーザーの好みに対する精度を向上させることができるようになる。
【００２２】
さらに、このデータベースをユーザー毎に保持すれば、個々のユーザーにとって最適な補正結果を簡便に得ることができるようになる。
【実施例２】
【００２３】
また、上記実施形態では、ネットワークを構成するハードウェア等が含まれるものの、各データ処理を順次実施するソフトウェアでも実現できるものである。即ち、上述した実施の形態の機能を実現するソフトウェアのプログラムコードを記録した記憶媒体（または、記録媒体）を、システムあるいは装置に供給し、そのシステムあるいは装置のコンピュータ（または、ＣＰＵやＭＰＵ）が、記憶媒体に格納されたプログラムコードを読み出し、実行することによっても達成されることは言うまでもない。この場合、記憶媒体から読み出されたプログラムコード自体が、上述した実施の形態の機能を実現することになり、そのプログラムコードを記憶しはＣＤ、ＭＤ、メモリカード、ＭＯ等のさまざまな記憶媒体に書き込み可能である。
【００２４】
また、コンピュータが読み出したプログラムコードを実行することにより、上述した実施の形態の機能が実現されるだけでなく、そのプログラムコードの指示に基づき、コンピュータ上で稼働しているオペレーティングシステム（ＯＳ）等が、実際の処理の一部または全部を行い、その処理によって、上述した実施の形態の機能が実現される場合も含まれることは言うまでもない。
【００２５】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵ等が、実際の処理の一部または全部を行い、その処理によって、上述した実施の形態の機能が実現される場合も含まれることは言うまでもない。
【図面の簡単な説明】
【００２６】
【図１】本発明に関わる実施例における画像処理装置の構成を示すブロック図である。
【図２】同実施例におけるパネルテストのＵＩを模式的に示す図である。
【図３】同実施例における画像処理装置の処理を示すフローチャートである。
【図４】同実施例における補正処理時のＵＩを模式的に示す図である。
【符号の説明】
【００２７】
１０１  画像入力部
１０２  補正処理部
１０３  画像出力部
１０４  ＵＩ
１０５  ＣＰＵ
１０６  作業メモリ
１０７  記憶装置
【図１】
2006013889.tif 000003
【図２】
2006013889.tif 000004
【図３】
2006013889.tif 000005
【図４】
2006013889.tif 000006